(57)【要約】【課題】板バネのバネ定数を安定化させレンズユニットを保持するホルダを筐体に対して安定して移動させる。【解決手段】カメラモジュールの駆動機構１は筐体２Ａと、筐体２内に移動自在に配置されレンズユニット２６Ａを収納するホルダ９と、ホルダ９に設けられたコイル８と、筐体２Ａに設けられたヨーク６およびマグネット片７と、筐体２Ａとホルダ９との間に介在された上部板バネ５および下部板バネ１１とを備えている。上部板バネ５および下部板バネ１１は外枠部５ａ、１１ａと、内枠部５ｂ、１１ｂと、スプリング部５ｃ、１１ｃとを有している。上部板バネ５および下部板バネ１１の内枠部５ｂ、１１ｂに第２位置決め孔５Ｂ、１１Ｂが設けられ、この第２位置決め孔５Ｂ、１１Ｂ上に接着領域３０が形成されている。【選択図】図４
2013222053.tif 000002
【特許請求の範囲】
【請求項１】
筐体と、
光学系を構成するレンズユニットと、
筐体内に配置され、レンズユニットを収納してレンズユニットの光軸方向に移動可能なホルダと、
ホルダに設けられたコイルと、
筐体に設けられコイルに磁界を提供するヨーク及びマグネット片と、
筐体とホルダとの間に介在され、筐体側の外枠部と、ホルダ側の内枠部と、内枠部と外枠部との間のスプリング部とを有する板バネとを備え、
板バネのうち外枠部とスプリング部との間に板バネを筐体に取付ける第１位置決め孔を設け、この第１位置決め孔上に板バネを筐体側に接着剤により接着する接着領域を形成したことを特徴とするカメラモジュールの駆動機構。
【請求項２】
筐体と、
光学系を構成するレンズユニットと、
筐体内に配置され、レンズユニットを収納してレンズユニットの光軸方向に移動可能なホルダと、
ホルダに設けられたコイルと、
筐体に設けられコイルに磁界を提供するヨーク及びマグネット片と、
筐体とホルダとの間に介在され、筐体側の外枠部と、ホルダ側の内枠部と、内枠部と外枠部との間のスプリング部とを有する板バネとを備え、
板バネのうち内枠部とスプリング部との間に板バネをホルダに取付ける第２位置決め孔を設け、この第２位置決め孔上に板バネをホルダに接着剤により接着する接着領域を形成したことを特徴とするカメラモジュールの駆動機構。
【請求項３】
第２位置決め孔は内枠部とスプリング部との間であって内枠部上に設けられ、内枠部の第２位置決め周囲が幅広に形成されていることを特徴とする請求項２記載のカメラモジュールの駆動機構。
【請求項４】
第２位置決め孔は内枠部とスプリング部との連結部から所定距離だけ離間していることを特徴とする請求項２記載のカメラモジュールの駆動機構。
【請求項５】
第２位置決め孔は内枠部との連結部側に延びる延長孔を有し、接着剤がこの延長孔内に進入することを特徴とする請求項４記載のカメラモジュールの駆動機構。
【発明の詳細な説明】
【技術分野】
【０００１】
本発明は、カメラモジュールの駆動機構に係り、とりわけカメラ付携帯電話などのカメラ付き小型電子機器に用いることができるカメラモジュールの駆動機構に関する。
【背景技術】
【０００２】
カメラ付携帯電話などにおいて、オートフォーカスやズーム等を目的として、コイルに流れる電流と、ヨーク及びマグネットにより構成された磁気回路の磁界との相互作用によって、光軸方向にレンズユニットを変位させることができるカメラモジュールの駆動機構（ボイスコイルモーター）が知られている。
【０００３】
このようなカメラモジュールの駆動機構には、レンズユニットを保持しているホルダを筐体に光軸方向に変位可能に支持するための板バネが使用されている。
【０００４】
ところで板バネはレンズユニットを保持するホルダおよび筐体に取付けられるが、このため板バネにはホルダおよび筐体に取付けるための位置決め孔が設けられている。そしてホルダおよび筐体に設けられた位置決め突起を位置決め孔内に挿入することにより、板バネをホルダおよび筐体に位置決めすることができ、板バネはホルダおよび筐体に接着剤により接着される。
【０００５】
また板バネには、レンズユニットを保持するホルダを筐体に対して安定したバネ定数をもって移動自在に保持する機能が求められているが、板バネの位置決め孔と接着部との位置関係によっては板バネのバネ定数が安定せず、レンズユニットを保持するホルダを安定して移動することができないことがある。
【０００６】
一般に、バネ定数は以下の要因で決まると考えられる。
【０００７】
すなわちバネ定数を決定する要因としては、板バネの材料の厚さ、板バネの形状、板バネの長さ、板バネの材料の剛性が考えられる。
【０００８】
しかしながら、製品搭載時に安定したバネ定数を持つ板バネ（ボイスコイルモーターに搭載される板バネの製品毎のバネ定数が均一であるもの）を供給するためには、上記要因以外にも、搭載時の接着部分（接着剤が付く部分）のばらつきを減らし、バネ部の腕の長さ（可動部分の長さ）を精度良く揃える必要であり、かつしっかりと固定されていることが必要である。
【先行技術文献】
【特許文献】
【０００９】
【特許文献１】特開２００９−１２２３６０
【発明の概要】
【発明が解決しようとする課題】
【００１０】
本発明はこのような点を考慮してなされたものであり、板バネのバネ定数を安定化させ、レンズユニットを保持するホルダを筐体に対して安定して移動することができるカメラモジュールの駆動機構を提供することを目的とする。
【課題を解決するための手段】
【００１１】
本発明は、筐体と、光学系を構成するレンズユニットと、筐体内に配置され、レンズユニットを収納してレンズユニットの光軸方向に移動可能なホルダと、ホルダに設けられたコイルと、筐体に設けられコイルに磁界を提供するヨーク及びマグネット片と、筐体とホルダとの間に介在され、筐体側の外枠部と、ホルダ側の内枠部と、内枠部と外枠部との間のスプリング部とを有する板バネとを備え、板バネのうち外枠部とスプリング部との間に板バネを筐体に取付ける第１位置決め孔を設け、この第１位置決め孔上に板バネを筐体側に接着剤により接着する接着領域を形成したことを特徴とするカメラモジュールの駆動機構である。
【００１２】
本発明は、筐体と、光学系を構成するレンズユニットと、筐体内に配置され、レンズユニットを収納してレンズユニットの光軸方向に移動可能なホルダと、ホルダに設けられたコイルと、筐体に設けられコイルに磁界を提供するヨーク及びマグネット片と、筐体とホルダとの間に介在され、筐体側の外枠部と、ホルダ側の内枠部と、内枠部と外枠部との間のスプリング部とを有する板バネとを備え、板バネのうち内枠部とスプリング部との間に板バネをホルダに取付ける第２位置決め孔を設け、この第２位置決め孔上に板バネをホルダに接着剤により接着する接着領域を形成したことを特徴とするカメラモジュールの駆動機構である。
【００１３】
本発明は、第２位置決め孔は内枠部とスプリング部との間であって内枠部上に設けられ、内枠部の第２位置決め周囲が幅広に形成されていることを特徴とするカメラモジュールの駆動機構である。
【００１４】
本発明は、第２位置決め孔は内枠部とスプリング部との連結部から所定距離だけ離間していることを特徴とするカメラモジュールの駆動機構である。
【００１５】
本発明は、第２位置決め孔は内枠部との連結部側に延びる延長孔を有し、接着剤がこの延長孔内に進入することを特徴とするカメラモジュールの駆動機構である。
【発明の効果】
【００１６】
本発明によれば、板バネの外枠部とスプリング部との間に第１位置決め孔を設け、この第１位置決め孔上に板バネの接着部を形成するか、あるいは板バネの内枠部とスプリング部との間に第２位置決め孔を設け、この第２位置決め孔上に板バネの接着部を形成した。このためスプリング部の端部を位置決めの基準位置とすることができ、かつこの位置決めの基準位置において板バネを接着することができるので、スプリング部により定まる板バネのバネ定数を安定化させることができる。
【図面の簡単な説明】
【００１７】
【図１】図１はカメラモジュールの駆動機構を示す分解斜視図。
【図２】図２はカメラモジュールの駆動機構に組込まれた上部板バネを示す平面図。
【図３】図３はカメラモジュールの駆動機構に組込まれた下部板バネを示す平面図。
【図４】図４（ａ）〜（ｅ）は、上部板バネおよび下部板バネの第２位置決め孔を示す拡大図。
【図５】図５はカメラモジュールを示す概略側面図。
【発明を実施するための形態】
【００１８】
以下、図面を参照して本発明の実施の形態について説明する。
【００１９】
図１乃至図５に示すように、本発明によるカメラモジュールの駆動機構１は、カバー２とベース１３とからなる筐体２Ａと、光学系を構成する複数のレンズ２６からなるレンズユニット２６Ａと、筐体２Ａ内に配置されレンズユニット２６Ａを収納してレンズユニット２６Ａの光軸方向へ移動可能なホルダ９と、ホルダ９の外周に設けられたコイル８と、筐体２Ａのベース１３に設けられコイル８に磁界を提供するヨーク６及びマグネット片７とを備えている。
【００２０】
また上部板バネ５は、筐体２Ａのカバー２と、ヨーク６の上部との間に介在され、下部板バネ１１は、筐体２Ａのベース１３とヨーク６の下部との間に介在されている。
【００２１】
そして下部板バネ１１を介してコイル８に電流を流すことによりホルダ９に上方への力が作用し、レンズユニット２６Ａを上部板バネ５および下部板バネ１１の力に抗して全体として上方へ持上げることができる（図５参照）。
【００２２】
また、入力する電流量を調整することにより、ホルダ９を上方へ移動させる力を変化させ、板バネの力とのバランスをとることで、ホルダ９の上下移動及びその位置調整を行うことができる。
【００２３】
なお、図５に示すように、筐体２Ａは、中間支持体２１介して基体２０上に固定され、中間支持体２１には赤外線カットガラス２２を保持するガラス板２４が支持され、基体２０上には撮像素子２５が配置されている。
【００２４】
このように筐体２Ａを有するカメラモジュールの駆動機構１と、赤外線カットガラス２２とガラス板２４とを支持する中間支持体２１と、撮像素子２５が配置された基体２０とによりカメラモジュール１Ａが構成されている。
【００２５】
なお、上記構成のうち、上部板バネ５は図２に示すように、筐体２Ａ側の外枠部５ａと、ホルダ９側の内枠部５ｂと、外枠部５ａと内枠部５ｂとの間に設けられたバネ性をもつスプリング部５ｃとを有している。また下部板バネ１１は図３に示すように、筐体２Ａ側の外枠部１１ａと、ホルダ９側の内枠部１１ｂと、外枠部１１ａと内枠部１１ｂとの間に設けられたバネ性をもつスプリング部５ｃとを有している。
【００２６】
次にカメラモジュールの駆動機構１の各構成部分について、更に説明する。
【００２７】
上述のようにカバー２とベース１３とからなる筐体２Ａ内の空間には、レンズユニット２６Ａを保持しているホルダ９がレンズユニット２６Ａの光軸方向へ変位可能に収容されている。
【００２８】
ホルダ９の上下の各円筒縁部には、それぞれ上部板バネ５の内枠部５ｂと下部板バネ１１の内枠部１１ｂが取付けられており、上部板バネ５の外枠部５ａ（図２参照）は筐体２Ａのベース１３に固定されているヨーク６の上面に取付けられ、下部板バネ１１の外枠部１１ａ（図３参照）は筐体２Ａのベース１３に取付けられている。
【００２９】
上記ヨーク６には複数のマグネット片７が接着されており、アクチュエータ機構１の磁気回路を構成している。そしてこの磁気回路により形成された磁界内にコイル８が配置されている。このコイル８はホルダ９の外周に巻回されており、コイル８に電流を供給することによりホルダ９をレンズユニット２６Ａの光軸方向へ変位させることができる。なお、図５において、符号１２により示す部材は外部電源からコイル８へ電流を供給するための導体（フレキシブルプリント基板等）であり、符号４により示す部材は上述のように上部板バネ５の上面に装着される調整板であり、上部板バネ５の厚みを調整するものである。
【００３０】
次に図２乃至図４および図６乃至図７により、上部板バネ５および下部板バネ１１について更に述べる。
【００３１】
上部板バネ５は図２に示すように四角形状の外枠部５ａと、ホルダ９側のリング状の内枠部５ｂと、外枠部５ａと内枠部５ｂとの間に設けられたバネ性をもつスプリング部５ｃとを有している。
【００３２】
また外枠部５ａとスプリング部５ｃとの間に、上部板バネ５を筐体２Ａのベース１３に固定されているヨーク６の上面に取付ける際の位置決め孔として機能する第１位置決め孔５Ａが設けられている。
【００３３】
この第１位置決め孔５Ａは外枠部５ａの４隅であってスプリング部５ｃとの連結部近傍に設けられている。第１位置決め孔５Ａは筐体２Ａのベース１３に固定されているヨーク６の上面側に設けられた位置決め突起（図示せず）に係合して、上部板バネ５を筐体２Ａのベース１３に固定されているヨーク６の上面側に精度良く位置決めするものである。また第１位置決め孔５Ａ上に上部板バネ５を筐体２Ａのベース１３に固定されているヨーク６の上面へ接着剤（図示せず）を介して接着する接着領域３０が第１位置決め孔５Ａと重ねて形成されている。
【００３４】
また、上部板バネ５のうち内枠部５ｂとスプリング部５ｃとの間に、上部板バネ５をホルダ９に取付ける際の位置決め孔として機能する第２位置決め孔５Ｂが設けられている。
【００３５】
この第２位置決め孔５Ｂはリング状内枠部５ｂのうち、スプリング部５ｃとの連結部１７近傍に設けられている（図２および図４（ａ）〜（ｅ）参照）。第２位置決め孔５Ｂは、ホルダ９側に設けられた位置決め突起（図示せず）に係合して上部板バネ５をホルダ９側に精度良く位置決めするものである。また第２位置決め孔５Ｂ上に上部板バネ５をホルダ９へ接着剤（図示せず）を介して接着する接着領域３０が第２位置決め孔５Ｂと重ねて形成されている。
【００３６】
次に図４（ａ）〜（ｄ）により、上部板バネ５の第２位置決め孔５Ｂについて更に説明する。上部板バネ５の第２位置決め孔５Ｂは上部板バネ５の内枠部５ｂ上であって内枠部５ｂとスプリング部５ｃとの連結部１７からわずかに所定距離ｌだけ離間した地点に設けられている（図４（ａ））。
【００３７】
なお、内枠部５ｂのうち第２位置決め孔５Ｂの周囲を幅広に形成して幅広部１８を設け、この幅広部１８により第２位置決め孔５Ｂ周囲の内枠部５ｂの強度を向上させてもよい（図４（ｂ）（ｃ））。
【００３８】
また内枠部５ｂのうち第２位置決め孔５Ｂの周囲を幅広に形成して幅広部１８を設け、この第２位置決め孔５Ｂ周囲の内枠部５ｂの強度を向上させるとともに、第２位置決め孔５Ｂにスプリング部５ｃとの連結部１７側に延びる延長孔１９を設けてもよい（図４（ｄ）（ｅ））。この場合、延長孔１９内に接着剤が進入し、連結部１７近傍で上部板バネ５を堅固に固定することができる。また延長孔１９の形状は連結部１７側へ先細状となるように形成されているが（図４（ｄ））、延長孔１９の形状を連結部１７側へ向って同一幅で延びるよう形成してもよい（図４（ｅ））。
【００３９】
このように上部板バネ５の外枠５ａのうちスプリング部５ｃとの連結部近傍に第１位置決め孔５Ａを設け、内枠５ｂのうちスプリング部５ｃとの連結部１７近傍に第２位置決め孔５Ｂを設け、更に第１位置決め孔５Ａおよび第２位置決め孔５Ｂ上に重ねて接着領域３０を設ける。このことにより、バネ性をもつスプリング部５ｃの両端部を筐体２Ａのベース１３に固定されているヨーク６およびホルダ９の各々に精度良く位置決めすることができ、かつスプリング部５ｃの両端部を筐体２Ａのベース１３に固定されているヨーク６およびホルダ９の各々に堅固に固定することができる。
【００４０】
このように上部板バネ５のスプリング部５ｃの両端部を筐体２Ａおよびホルダ９の各々に精度良く位置決めし、かつ固定することにより、スプリング部５ｃのバネ定数を安定化させることができる。
【００４１】
次に下部板バネ１１について、図３および図４（ａ）〜（ｅ）により説明する。この場合、下部板バネ１１は、上部板バネ５と略同一形状を有するため、図４（ａ）〜（ｅ）に上部板バネ５と下部板バネ１１の双方を示す。
【００４２】
下部板バネ１１は図３に示すように筐体２Ａ側の四角形状の外枠部１１ａと、ホルダ９側のリング状内枠部１１ｂと、外枠部１１ａと内枠部１１ｂとの間に設けられたバネ性をもつスプリング部１１ｃとを有している。
【００４３】
また外枠部１１ａとスプリング部１１ｃとの間に、下部板バネ１１を筐体２Ａのベース１３に取付ける際の位置決め孔として機能する第１位置決め孔１１Ａが設けられている。
【００４４】
この第１位置決め孔１１Ａは外枠部１１ａの４隅であってスプリング部１１ｃとの連結部近傍に設けられている。第１位置決め孔１１Ａは筐体２Ａのベース１３側に設けられた位置決め突起（図示せず）に係合して、下部板バネ１１を筐体２Ａのベース１３側に精度良く位置決めするものである。また第１位置決め孔１１Ａ上に下部板バネ１１を筐体２Ａへ接着剤（図示せず）を介して接着する接着領域３０が第１位置決め孔１１Ａと重ねて形成されている。
【００４５】
また、下部板バネ１１のうち内枠部１１ｂとスプリング部１１ｃとの連結部１７近傍に、下部板バネ１１をホルダ９に取付ける際の位置決め孔として機能する第２位置決め孔１１Ｂが設けられている。
【００４６】
第２位置決め孔１１Ｂはリング状内枠部１１ｂのうち、スプリング部１１ｃとの連結部１７近傍に設けられている（図３および図４（ａ）〜（ｅ）参照）。第２位置決め孔１１Ｂは、ホルダ９側に設けられた位置決め突起（図示せず）に係合して下部板バネ１１をホルダ９側に精度良く位置決めするものである。また第２位置決め孔１１Ｂ上に下部板バネ１１をホルダ９へ接着剤（図示せず）を介して接着する接着領域３０が第２位置決め孔１１Ｂと重ねて形成されている。
【００４７】
次に図４（ａ）〜（ｅ）により、下部板バネ１１の第２位置決め孔１１Ｂについて更に説明する。下部板バネ１１の第２位置決め孔１１Ｂは下部板バネ１１の内枠部１１ｂ上であって内枠部１１ｂとスプリング部１１ｃとの連結部１７からわずかに所定距離ｌだけ離間した地点に設けられている（図４（ａ））。
【００４８】
なお、内枠部１１ｂのうち第２位置決め孔１１Ｂの周囲を幅広に形成して幅広部１８を設け、この幅広部１８により第２位置決め孔１１Ｂ周囲の内枠部１１ｂの強度を向上させてもよい（図４（ｂ）（ｃ））。
【００４９】
また内枠部１１ｂのうち第２位置決め孔１１Ｂの周囲を幅広に形成して幅広部１８を設け、この第２位置決め孔１１Ｂ周囲の内枠部１１ｂの強度を向上させるとともに、第２位置決め孔１１Ｂにスプリング部１１ｃとの連結部１７側に延びる延長孔１９を設けてもよい（図４（ｄ）（ｅ））。この場合、延長孔１９内に接着剤が進入し、連結部１７近傍で下部板バネ１１を堅固に固定することができる。また延長孔１９の形状は連結部１７側へ先細状となるように形成されているが（図４（ｄ））、延長孔１９の形状を連結部１７側へ向って同一幅で延びるよう形成してもよい（図４（ｅ））。
【００５０】
このように下部板バネ１１の外枠１１ａのうちスプリング部１１ｃとの連結部近傍に第１位置決め孔１１Ａを設け、内枠１１ｂのうちスプリング部１１ｃとの連結部１７近傍に第２位置決め孔１１Ｂを設け、更に第１位置決め孔１１Ａおよび第２位置決め孔１１Ｂ上に重ねて接着領域３０を設ける。このことにより、バネ性をもつスプリング部１１ｃの両端部を筐体２Ａのベース１３およびホルダ９の各々に精度良く位置決めすることができ、かつスプリング部１１ｃの両端部を筐体２Ａのベース１３およびホルダ９の各々に堅固に固定することができる。
【００５１】
このように下部板バネ１１のスプリング部１１ｃの両端部を筐体２Ａおよびホルダ９の各々に精度良く位置決めし、かつ固定することにより、スプリング部１１ｃのバネ定数を安定化させることができる。
【００５２】
また図３において、下部板バネ１１の外枠１１ａには外部の電源に接続される接続端子１１ｅが設けられ、内枠１１ｂにはコイル８側に接続される接続端子１１ｄが設けられ、外部の電源から下部板バネ１１を介してコイル８側へ電流を流すことができる。
【００５３】
ところで、図３に示すように、外枠部１１ａは、互いに離間した一対の外枠部材１１ａ１、１１ａ２からなっており、これにより接続端子１１ｅ、１１ｅ同士が短絡しないようになっている。また、内枠部１１ｂは、互いに離間した一対の内枠部材１１ｂ１、１１ｂ２からなっており、これにより接続端子１１ｄ、１１ｄ同士が短絡しないようになっている。
【００５４】
次に上部板バネ５および下部板バネ１１の材料について述べる。上部板バネ５および下部板バネ１１はいずれも銅合金（ベリリウム銅、ニッケル錫銅、チタニウム銅、その他銅合金など）からなる金属板をエッチング加工もしくは打抜き加工して作製される。コイル８へ外部電源からの電流を流す導体の一部として使用する場合は、導電率のよい材料が好ましい。また、バネ特性の観点からは、硬度もしくは引張強度が重視されることもあり、コイル８へ外部電源からの電流を流す導体の一部として使用しない場合は、ステンレス合金（ＳＵＳ３０４、ＳＵＳ３１６、ＴＳ−４など）などの硬い金属板から上部板バネ５および下部板バネ１１を作製してもよい。
【００５５】
次にこのような構成からなる本実施の形態の作用について述べる。
【００５６】
まず下部板バネ１１を介してコイル８に電流を流す。このことによりホルダ９に上方への力が作用し、レンズユニット２６Ａを上部板バネ５および下部板バネ１１の力に抗して全体として上方へ持上げることができる（図５参照）。また、コイル８に流す電流量を調整することにより、ホルダ９を上方へ移動させる力を変化させ、上部板バネ５および下部板バネ１１の力とのバランスをとることで、ホルダ９の上下移動及びその位置調整を行うことができる。
【００５７】
この場合、上部板バネ５および下部板バネ１１の外枠部５ａ、１１ａのうちスプリング部５ｃ、１１ｃとの連結部近傍に第１位置決め孔５Ａ、１１Ａを設け、内枠部５ｂ、１１ｂのうちスプリング部５ｃ、１１ｃとの連結部１７近傍に第２位置決め孔５Ｂ、１１Ｂを設け、更に第１位置決め孔５Ａ、１１Ａおよび第２位置決め孔５Ｂ、１１Ｂ上に重ねて接着領域３０を設ける。このことにより、上部板バネ５および下部板バネ１１のバネ性をもつスプリング部５ｃ、１１ｃの両端部を筐体２Ａのベース１３に固定されているヨーク６、ベース１３およびホルダ９の各々に精度良く位置決めすることができ、かつスプリング部５ｃ、１１ｃの両端部を筐体２Ａのベース１３に固定されているヨーク６、ベース１３およびホルダ９の各々に堅固に固定することができる。
【００５８】
このように上部板バネ５および下部板バネ１１のスプリング部５ｃ、１１ｃの両端部を筐体２Ａのベース１３に固定されているヨーク６、ベース１３およびホルダ９の各々に精度良く位置決めし、かつ堅固に固定することにより、スプリング部５ｃ、１１ｃのバネ定数を安定化させることができる。
【００５９】
このことにより安定したバネ特性をもつカメラモジュールの駆動機構を得ることができる。
【００６０】
具体的には、下部板バネ１１を介してコイル８に電流を流すことにより、電流とマグネット７の磁界とで相互作用が起こり、ホルダ９が上下移動する。このとき上部板バネ５および下部板バネ１１は、バネ定数ｋに応じてホルダ９の動きを抑制する。
【００６１】
この場合、（ｉ）コイル８に流す電流、（ii）マグネット７のもつ磁力、（iii）上部板バネ５および下部板バネ１１のもつバネ定数からなる３つの要素（ｉ）（ii）（iii）に基づいて、ホルダ９の上下移動およびその位置調整を行なってレンズユニット２６Ａによる焦点を調整することができる。
【００６２】
従って、精度良くレンズユニット２６Ａによる調整を行なうためには、上記３つの要素（ｉ）（ii）（iii）、とりわけ要素（iii）を精度良く定め、かつ安定して設計することが求められている。
【００６３】
本発明によれば、上述のように、スプリング部５ｃ、１１ｃのバネ定数を安定化させることにより、上記３つの要素（ｉ）（ii）（iii）のうち、とりわけ（iii）上部板バネ５および下部板バネ１１のバネ定数の安定化を図ることができる。このことにより、ホルダ９の上下移動およびその位置調整を精度良く行なって、レンズユニット２６Ａによる焦点を精度良く調整することができる。
【符号の説明】
【００６４】
１  カメラモジュールの駆動機構
１Ａ  カメラモジュール
２  カバー
２Ａ  筐体
３  ストッパ
４  架橋部支持部材
５  上部板バネ
５ａ  外枠部
５ｂ  内枠部
５ｃ  スプリング部
５Ａ  第１位置決め孔
５Ｂ  第２位置決め孔
６  ヨーク
７  マグネット片
８  コイル
９  ホルダ
１１  下部板バネ
１１ａ  外枠部
１１ｂ  内枠部
１１ｃ  スプリング部
１１Ａ  第１位置決め孔
１１Ｂ  第２位置決め孔
１２  フレキシブルプリント基板
１３  ベース
１７  連結部
１８  幅広部
２０  基体
２１  中間支持体
２２  赤外線カットガラス
２４  ガラス板
２５  撮像素子
２６  レンズ
２６Ａ  レンズユニット
３０  接着領域
【図１】
2013222053.tif 000003
【図２】
2013222053.tif 000004
【図３】
2013222053.tif 000005
【図４】
2013222053.tif 000006
【図５】
2013222053.tif 000007